(57)【特許請求の範囲】
【請求項１】
箱体の格納部内に引き出し可能に格納され一端側が主回路に接続される複数の固定接触端子にそれぞれ接続される可動接触端子を有する引出形遮断器を具備するスイッチギヤに用いられ、前記固定接触端子の周囲に設けられる保護カバーを実質的に覆って前記固定接触端子への接触を防止する接触防止装置であって、
複数の前記保護カバーが挿入される長溝形状の挿入溝を有すると共に該挿入溝の長辺方向の相対向する両側壁部の一部が伸縮性を有する材料からなる伸縮部材で形成され、該伸縮部材の伸縮により前記挿入溝の長辺方向の長さを調整可能に構成されていることを特徴とする接触防止装置。
【請求項２】
硬質材料からなり前記挿入溝に挿入された前記保護カバーと係合する第１及び第２の係合部材が前記伸縮部材で連結されてなり、前記第１の係合部材と第２の係合部材とが前記挿入溝の長辺方向に沿ってスライド可能に係合されていることを特徴とする請求項１に記載の接触防止装置。
【請求項３】
前記第１及び第２の係合部材上に立設される各支持部から前記挿入溝の長辺方向に沿って延設される第１及び第２の梁部を有し、これら第１及び第２の梁部がスライド可能に係合されていることを特徴とする請求項２に記載の接触防止装置。
【請求項４】
前記第１及び第２の係合部材は、当該第１又は第２の係合部材の何れか一方に設けられるラック部材と他方に設けられるピニオンギアとからなるラック・ピニオン機構によって、前記挿入溝の長辺方向に移動可能となっていることを特徴とする請求項２又は３に記載の接触防止装置。
【請求項５】
前記ラック・ピニオン機構を構成するラック部材に設けられるラチェット歯と前記ラチェット歯と係合するロックピンとで構成されるラチェット機構によって前記第１及び第２の係合部材は両者の間隔が狭まる方向への移動が規制されており、且つ前記ロックピンが取り外し可能に設けられていることを特徴とする請求項２〜４の何れか一項に記載の接触防止装置。
【発明の詳細な説明】
【技術分野】
【０００１】
本発明は、引出形遮断器を有するスイッチギヤの保守・点検時に用いられる接触防止装置に関する。
【背景技術】
【０００２】
発変電所等における各種機器の運転を停止する際、電源系統の遮断を行う装置として、引出形遮断器を有するスイッチギヤが知られている。スイッチギヤは、可動接触端子を有する引出形遮断器を箱体内の格納室に格納し、引出形遮断器の可動接触端子と格納室に突出する主回路の固定接触端子とを接続することで電源系統を接続状態とする。また、保守・点検を行う際には、引出形遮断器を格納室内から引き出して可動接触端子と固定接触端子とを切り離すことで電源系統を開放状態とする。
【０００３】
ここで、引出形遮断器を格納室内から引き出して保守・点検を行う場合、格納室内には固定接触端子が露出された状態となり、このままの状態で作業を行うと、作業者が固定接触端子に接触して感電する等の事故が発生してしまう虞がある。このため、例えば、引出形遮断器の出し入れに応じて、固定接触端子に対向して設けられるシャッタを開閉するようにしたものがある（例えば、特許文献１参照）。
【０００４】
【特許文献１】特開２００２−３３５６１０号公報
【発明の開示】
【発明が解決しようとする課題】
【０００５】
このようなシャッタ機構を採用することにより、保守・点検作業中には、固定接触端子がシャッタで塞がれるため、作業者が固定接触端子に接触して感電する等の事故を防止することはできる。しかしながら、機構が複雑であり、既存の設備に採用することは難しく、またこのような機構を採用するには新たに莫大な設備投資が必要となるという問題もある。
【０００６】
本発明は、このような事情に鑑みてなされたものであり、作業者の固定接触端子への接触を確実に防止することができ且つ比較的安価で設備可能な接触防止装置を提供することを目的とする。
【課題を解決するための手段】
【０００７】
上記課題を解決する本発明の第１の態様は、箱体の格納部内に引き出し可能に格納され一端側が主回路に接続される複数の固定接触端子にそれぞれ接続される可動接触端子を有する引出形遮断器を具備するスイッチギヤに用いられ、前記固定接触端子の周囲に設けられる保護カバーを実質的に覆って前記固定接触端子への接触を防止する接触防止装置であって、複数の前記保護カバーが挿入される長溝形状の挿入溝を有すると共に該挿入溝の長辺方向の相対向する両側壁部の一部が伸縮性を有する材料からなる伸縮部材で形成され、該伸縮部材の伸縮により前記挿入溝の長辺方向の長さを調整可能に構成されていることを特徴とする接触防止装置にある。
【０００８】
本発明の第２の態様は、硬質材料からなり前記挿入溝に挿入された前記保護カバーと係合する第１及び第２の係合部材が前記伸縮部材で連結されてなり、前記第１の係合部材と第２の係合部材とが前記挿入溝の長辺方向に沿ってスライド可能に係合されていることを特徴とする第１の態様の接触防止装置にある。
【０００９】
本発明の第３の態様は、前記第１及び第２の係合部材上に立設される各支持部から前記挿入溝の長辺方向に沿って延設される第１及び第２の梁部を有し、これら第１及び第２の梁部がスライド可能に係合されていることを特徴とする第２の態様の接触防止装置にある。
【００１０】
本発明の第４の態様は、前記第１及び第２の係合部材は、当該第１又は第２の係合部材の何れか一方に設けられるラック部材と他方に設けられるピニオンギアとからなるラック・ピニオン機構によって、前記挿入溝の長辺方向に移動可能となっていることを特徴とする第２又は３の態様の接触防止装置にある。
【００１１】
本発明の第５の態様は、前記ラック・ピニオン機構を構成するラック部材に設けられるラチェット歯と前記ラチェット歯と係合するロックピンとで構成されるラチェット機構によって前記第１及び第２の係合部材は両者の間隔が狭まる方向への移動が規制されており、且つ前記ロックピンが取り外し可能に設けられていることを特徴とする第２〜４の何れか一つの態様の接触防止装置にある。
【発明の効果】
【００１２】
かかる本発明の接触防止装置は、複数の固定接触端子を一度に覆うことができるため、比較的容易且つ確実に固定接触端子への接触を防止することができ、例えば、スイッチギヤの保守・点検作業中に、作業者が固定接触端子に接触して感電する等の事故の発生を防止することができる。また、複数の固定接触端子（保護カバー）に対して装着されるため、作業者が固定接触端子に接触する機会が減少するため、接触防止装置の装着時の安全性も大幅に向上する。さらに、本発明の接触防止装置は、既存の装置に採用することができるため、設備投資も抑えることができる。
【発明を実施するための最良の形態】
【００１３】
以下、本発明を実施形態に基づいて詳細に説明する。
図１は、スイッチギヤの一例を示す側面図であり、図２は、本発明に係る接触防止装置の概略斜視図であり、図３は、その上面図及び側面図である。また図４は、接触防止装置の一部を示す拡大断面図である。
【００１４】
スイッチギヤ１０は、図１に示すように、例えば、発変電設備等に用いられるものであり、配電盤（主回路）が設けられる箱体１１と、該箱体１１の格納室１２内に格納される引出形遮断器（遮断部）１３とを具備する。引出形遮断器（遮断部）１３は、遮断器本体１４が台車１５上に固定されてなり、格納室１２の底面に設けられたレール１６上を直線移動可能となっている。なお、遮断器本体１４は、いわゆる真空遮断器であり、真空の優れたアークの消弧力及び絶縁性能を利用したものであり、開極時に生じるアークは、真空中で高速拡散するため、容易に大電流を遮断することができるという利点を備えている。
【００１５】
そして、発変電設備の運転時には、引出形遮断器（遮断部）１３が箱体１１の格納室１２内に押し入れられて遮断器本体１４が主回路と接続され、スイッチギヤ１０の保守・点検時等には引出形遮断器（遮断部）１３が格納室１２から箱体１１の外側に引き出されて遮断器本体１４が主回路と開放されるようになっている。
【００１６】
具体的には、箱体１１の後面側に、主回路に接続された固定接触端子１７が格納室１２内に略水平方向に突出して設けられている。例えば、主回路の三相母線にそれぞれ接続される複数の固定接触端子１７が設けられている。なお、この格納室１２に突出した各固定接触端子１７の周囲には、絶縁材料からなる筒状の保護カバー１８が設けられている。一方、遮断器本体１４の後面側、すなわち、固定接触端子１７に対向する面には、各固定接触端子１７に対応する複数の可動接触端子１９が、略水平方向に突出して設けられている。これら各可動接触端子１９の周囲にも、固定接触端子１７の周囲と同様に、絶縁材料からなる筒状の保護カバー１８が設けられている。そして、遮断器本体１４が、格納室１２に格納されることで可動接触端子１９が固定接触端子１７と接続され、格納室１２から引き出されることで可動接触端子１９が固定接触端子１７から開放されるようになっている。
【００１７】
このようなスイッチギヤ１０の保守・点検作業は、遮断器本体１４を格納室１２から箱体１１の外部まで引き出した状態で行うが、このとき格納室１２内に固定接触端子１７が露出されていると、作業者が固定接触端子１７に接触して感電する等の事故が発生する虞がある。このため、本発明では、遮断器本体１４を格納室１２から引き出した際に、以下のような接触防止装置３０を装着するようにしている。すなわち、接触防止装置３０によって複数の保護カバー１８を実質的に覆い、作業者が固定接触端子１７に接触して感電する等の事故を未然に防止している。
【００１８】
本発明の接触防止装置３０は、図２〜図４に示すように、各固定接触端子１７に対応する複数の保護カバー１８が挿入される長溝形状の挿入溝３１を有し、この挿入溝３１の長辺方向の壁の一部が伸縮可能な伸縮部材３２で形成されて挿入溝３１の長辺方向の長さを調整可能に構成されている。具体的には、接触防止装置３０は、例えば、プラスチック、硬質ゴム等の硬質材料からなり保護カバー１８と係合する係合凹部３３が設けられた第１の係合部材３４Ａ及び第２の係合部材３４Ｂを有し、これら第１の係合部材３４Ａと第２の係合部材３４Ｂとが一対の伸縮部材３２によって連結されて挿入溝３１が形成されている。すなわち、挿入溝３１は、第１及び第２の係合部材３４Ａ，３４Ｂに設けられる係合凹部３３と、第１及び第２の係合部材３４Ａ，３４Ｂの間に伸縮部材３２によって画成される空間部３５とで構成されている。また、本実施形態では、第１及び第２の係合部材３４Ａ，３４Ｂに設けられる各係合凹部３３と空間部３５との間は、隔壁３６によって区切られている。勿論、この隔壁３６を設けずに、各係合凹部３３と空間部３５とが連通されているようにしてもよい。また、挿入溝３１の短辺方向の長さは、保護カバー１８の直径よりも若干広く形成されている。
【００１９】
ここで、伸縮部材３２は、特性として伸縮性を有する材料、例えば、ゴム材料等からなる。また、本実施形態では、伸縮部材３２は、蛇腹形状に形成されている。勿論、伸縮部材３２は、必ずしも蛇腹形状に形成されている必要はない。
【００２０】
第１及び第２の係合部材３４Ａ，３４Ｂ上には、それぞれ支持部３７Ａ，３７Ｂが立設されており、挿入溝３１の長辺方向に沿って延設される第１の梁部３８Ａ及び第２の梁部３８Ｂがこれら各支持部３７Ａ，３７Ｂによって支持されている。例えば、本実施形態では、第１の梁部３８Ａ及び第２の梁部３８Ｂは、支持部３７Ａ，３７Ｂの頂部中央から挿入溝３１の長辺方向に沿って延設されている。そして、これら第１及び第２の梁部３８Ａ，３８Ｂは、挿入溝３１の長辺方向に沿ってスライド可能に係合保持されている。例えば、本実施形態では、第２の梁部３８Ｂの下面側に溝部３９が形成され、この第２の梁部３８Ｂの溝部３９に第１の梁部３８Ａがスライド可能に係合保持されている。
【００２１】
また、これら第１及び第２の係合部材３４Ａ，３４Ｂは、ラック・ピニオン機構によって挿入溝３１の長辺方向（図３中左右方向）に移動可能に保持されている。例えば、本実施形態では、第１及び第２の係合部材３４Ａ，３４Ｂ間に棒状のラック部材４０が設けられている。このラック部材４０の一端側は、本実施形態では、第２の係合部材３４Ｂに固定されており、他端側は、第１の係合部材３４Ａの支持部３７Ａに設けられた貫通孔に挿通されている。また、第１の梁部３８Ａの略中央部には、挿入溝３１の短辺方向に突出する突出部４１が設けられ、この突出部４１の下面側には、ピニオン歯車４２がラック部材４０の側面に設けられているラック歯４３に噛合した状態で回動可能に保持されている。ピニオン歯車４２の回転軸４４には、回転ハンドル４５が接続されておりこの回転ハンドル４５を回転させることで、第１の係合部材３４Ａと第２の係合部材３４Ｂとの間隔、すなわち、挿入溝３１の長辺方向の長さを調整することができるようになっている。
【００２２】
さらに、本実施形態では、ラック部材４０の上面に設けられるラチェット歯４６及びラチェット歯４６に係合するロックピン４７とからなるラチェット機構を有する。このラチェット機構により、第１の係合部材３４Ａと第２の係合部材３４Ｂとは、両者の間隔が広がる方向への移動は許容され、両者の間隔が狭まる方向への移動は規制されている。具体的には、図４の拡大断面図に示すように、ラック部材４０の上面に複数のラチェット歯４６が設けられ、一方、ラチェット歯４６に対向する領域の突出部４１には、ロックピン４７が固定されている。このロックピン４７は、例えば、針状の当接部材４８がロックピン本体４９内に配されたコイルバネ等の付勢部材５０によって下方、すなわち、ラチェット歯４６側に向かって付勢された状態で保持されている。このような構成では、第１及び第２の係合部材３４Ａ，３４Ｂを両者の間隔が広がる方向（図中矢印で示す）にスライドさせようとした場合、ロックピン４７の当接部材４８はラチェット歯４６の傾斜した表面上を摺動するため、第１及び第２の係合部材３４Ａ，３４Ｂの移動は許容される。一方、第１及び第２の係合部材３４Ａ，３４Ｂを両者の間隔が狭まる方向へスライドさせようとしても、ロックピン４７の当接部材４８がラチェット歯４６に係止されるため、第１及び第２の係合部材３４Ａ，３４Ｂの移動は規制される。また、このロックピン４７は、突出部４１に取り外し可能に固定されている。そして、第１及び第２の係合部材３４Ａ，３４Ｂの間隔を広げた状態、すなわち、伸縮部材３２が伸張された状態で、このロックピン４７を取り外すと、伸縮部材３２が収縮する力によって第１及び第２の係合部材３４Ａ，３４Ｂの間隔が狭まるようになっている。
【００２３】
このような接触防止装置３０は、スイッチギヤ１０の箱体１１内に設けられる複数の固定接触端子１７に対して装着される。例えば、本実施形態では、図５に示すように、スイッチギヤ１０の箱体１１内には、三相母線にそれぞれ接続される３つの固定接触端子１７が一列に並設されており、接触防止装置３０はこれら３つの固定接触端子１７に対して装着される。なお、実際には、各固定接触端子１７の周囲に設けられた保護カバー１８に装着される。
【００２４】
以下、このような接触防止装置３０の装着手順について説明する。まず、回転ハンドル４５を回転させることで、図６に示すように、伸縮部材３２を伸張させながら第１及び第２の係合部材３４Ａ，３４Ｂをスライドさせて両者の間隔を広げた状態とする。具体的には、挿入溝３１の長辺方向の長さＬ１が、上記３つの固定接触端子１７の周囲に設けられる保護カバー１８間の長さＬ２（図５参照）よりも広くなるように、第１及び第２の係合部材３４Ａ，３４Ｂをスライドさせる。このとき、第１及び第２の係合部材３４Ａ，３４Ｂは、伸縮部材３２によって引っ張られた状態となるが、上述したようにロックピン４７がラチェット歯４６によって係止されているため、両者は所定の間隔で保持される。
【００２５】
次に、このように第１及び第２の係合部材３４Ａ，３４Ｂの間隔を広げた状態で、図７（ａ）に示すように、接触防止装置３０を３つの保護カバー１８に対して装着する。このとき、挿入溝３１の長辺方向の長さＬ１は上述したように保護カバー１８間の長さＬ２よりも広くなっており、挿入溝３１の長辺方向において挿入溝３１の内面と保護カバー１８との間には若干の隙間が確保された状態となるため、保護カバー１８に対して接触防止装置３０を容易に装着することができる。
【００２６】
その後、このように保護カバー１８に接触防止装置３０を装着した状態でロックピン４７を突出部４１から引き抜く。これにより、図７（ｂ）に示すように、第１及び第２の係合部材３４Ａ，３４Ｂが、伸縮部材３２が収縮する力によって、両者の間隔が狭まる方向、すなわち、挿入溝３１の長辺方向の長さが短くなる方向にスライドし、第１及び第２の係合部材３４Ａ，３４Ｂのそれぞれが保護カバー１８に当接して止まる。そして、第１及び第２の係合部材３４Ａ，３４Ｂのそれぞれが伸縮部材３２の収縮力によって保護カバー１８側に付勢された状態で固定される。
【００２７】
これにより、各固定接触端子１７がこの接触防止装置３０によって実質的に覆われる。本実施形態では、第１及び第２の係合部材３４Ａ，３４Ｂの係合凹部３３は支持部３７側の面が塞がれているため、各係合凹部３３に挿入された固定接触端子１７は、接触防止装置３０によって完全に覆われる。一方、空間部３５は支持部３７側の面も開口する貫通孔であるが、空間部３５に対向する領域に第１及び第２の梁部３８Ａ，３８Ｂが延設されているため、空間部３５に挿入された固定接触端子１７も接触防止装置３０によって実質的に覆われた状態となる。また、第１及び第２の係合部材３４Ａ，３４Ｂのそれぞれが伸縮部材３２の収縮力によって保護カバー１８側に付勢されているため、接触防止装置３０が保護カバー１８から脱落する虞もない。
【００２８】
したがって、このように接触防止装置を装着した状態で、スイッチギヤの保守・点検作業を行うことで、作業者が固定接触端子に接触して感電する等の事故の発生を防止することができる。
【００２９】
さらに、本発明の接触防止装置３０は、複数の固定接触端子１７を一度に覆うことができるため、作業性が大幅に向上する。また、作業者が固定接触端子１７に接触する機会が減少するため、接触防止装置３０の装着時の安全性も大幅に向上する。さらに、本発明の接触防止装置３０は、既存の装置に採用することができるため、設備投資も抑えることができる。
【００３０】
以上、本発明の一実施形態について説明したが、本発明は、この実施形態に限定されるものではなく、その要旨を逸脱しない範囲で種々の変更が可能なことは言うまでもない。
【図面の簡単な説明】
【００３１】
【図１】スイッチギヤの一例を示す側面図である。
【図２】本発明に係る接触防止装置の概略斜視図である。
【図３】本発明に係る接触防止装置の上面図及び側面図である。
【図４】本発明に係る接触防止装置の一部を示す拡大断面図である。
【図５】スイッチギヤの箱体を示す正面図である。
【図６】本発明に係る接触防止装置の装着手順を示す図である。
【図７】本発明に係る接触防止装置の装着手順を示す図である。
【符号の説明】
【００３２】
１０  スイッチギヤ
１１  箱体
１２  格納室
１３  引出形遮断器
１４  遮断器本体
１６  レール
１７  固定接触端子
１８  保護カバー
１９  可動接触端子
３０  接触防止装置
３１  挿入溝
３２  伸縮部材
３３  係合凹部
３４Ａ，３４Ｂ  係合部材
３５  空間部
３６  隔壁
３７Ａ，３７Ｂ  支持部
３８Ａ，３８Ｂ  梁部
３９  溝部
４０  ラック部材
４１  突出部
４２  ピニオン歯車
４３  ラック歯
４４  回転軸
４５  回転ハンドル
４６  ラチェット歯
４７  ロックピン
４８  当接部材
４９  ロックピン本体
５０  付勢部材
【図１】
0005014172.tif 000002
【図２】
0005014172.tif 000003
【図３】
0005014172.tif 000004
【図４】
0005014172.tif 000005
【図５】
0005014172.tif 000006
【図６】
0005014172.tif 000007
【図７】
0005014172.tif 000008